(57)【要約】【課題】利便性の高い画像形成装置を提供する。【解決手段】登録テーブル１０５ａは、ワンタッチキー１１１ａに対する押下操作に、画像形成装置１０が実行する処理の内容を規定する情報となる設定として、ファックスモードにおける送信先、スキャナモードにおける送信先及びコピーモードにおけるコピー条件を対応づけて登録したものである。画像形成装置１０は、切り替え可能な複数の動作モードのうちの２個以上の動作モードの各々に対する設定がワンタッチキー１１１ａに対する押下操作に登録されている場合にワンタッチキー１１１ａに対する押下操作が行われると、処理の内容への設定の反映の要否を操作者に指示させる。【選択図】図１
2010268517.tif 000002
【特許請求の範囲】
【請求項１】
切り替え可能な複数の動作モードを有する画像形成装置であって、
操作の対象となる操作部材と、
前記操作部材に対する操作に、前記画像形成装置が実行する処理の内容を規定する情報となる設定を対応づけて登録する登録手段と、
実行された操作に登録されている設定を前記画像形成装置が実行する処理の内容に反映させる反映手段と、
切り替え可能な複数の動作モードのうちの２個以上の動作モードの各々に対する設定が実行された操作に登録されている場合に、前記反映手段による、処理の内容への設定の反映の要否を操作者に指示させる第１の指示手段と、
を備えることを特徴とする画像形成装置。
【請求項２】
請求項１の画像形成装置において、
現在の動作モードに関する設定が登録されていない操作が実行された場合に、実行された操作に設定が登録されている動作モードへの切り替え要否を操作者に指示させる第２の指示手段、
をさらに備えることを特徴とする画像形成装置。
【請求項３】
請求項２の画像形成装置において、
動作モードを切り替える旨が前記第２の指示手段に指示された場合は、動作モードが切り替えられ、切り替え後の動作モードに関する設定が前記画像形成装置が実行する処理の内容に前記反映手段により反映され、
動作モードを切り替える旨が前記第２の指示手段に指示されない場合は、動作モードが切り替えられない画像形成装置。
【請求項４】
請求項１ないし請求項３のいずれかの画像形成装置において、
動作モードの切り替え先を操作者に指示させる第３の指示手段、
をさらに備え、
現在の動作モードに関する設定が登録されていない操作が実行され、動作モードの切り替え先が前記第３の指示手段に指示され、設定を反映させる旨が前記第１の指示手段に指示された場合は、前記第３の指示手段に指示された動作モードであって実行された操作に設定が登録されている動作モードへの切り替えが行われ、切り替え後の動作モードに関する設定が前記画像形成装置が実行する処理の内容に前記反映手段により反映され、
現在の動作モードに関する設定が登録されていない操作が実行され、動作モードの切り替え先が前記第３の指示手段に指示され、設定を反映させる旨が前記第１の指示手段に指示されない場合は、動作モードが切り替えられない画像形成装置。
【発明の詳細な説明】
【技術分野】
【０００１】
本発明は、切り替え可能な複数の動作モードを有する画像形成装置に関し、特に、操作部材に対する操作に、当該画像形成装置が実行する処理の内容を規定する情報となる設定を対応づけて登録可能な画像形成装置に関する。
【背景技術】
【０００２】
従来より、ファックスモード、スキャンモード、コピーモード及びプリントモードを有するＭＦＰ（Multi Function Peripherals）のような、複数の動作モードを有する画像形成装置においては、操作の簡略化のため、操作部材に対する操作に、画像形成装置が実行する処理の内容を規定する情報である設定を対応づけて登録することができるようになっている。例えば、ＭＦＰにおいては、ワンタッチキーと称される操作部材に対する押下操作に、ファックスモードにおける送信先、スキャンモードにおける送信先及びコピーモードにおけるコピー条件等を登録することが可能となっている。このようなＭＦＰでは、例えば、ファックスモードにおいてワンタッチキーに対する押下操作が実行されると、ファックスモードにおける送信先へ画像の送信が可能な状態となり、スキャンモードにおいてワンタッチキーに対する押下操作が実行されると、スキャンモードにおける送信先へ画像の送信が可能な状態となり、コピーモードにおいてワンタッチキーに対する押下操作が実行されると、コピーモードにおけるコピー条件によるコピーが可能な状態となる。
【０００３】
なお、特許文献１は、ワンタッチキーに対する押下操作に複数の通信宛先を登録することができる通信端末装置を開示している。
【先行技術文献】
【特許文献】
【０００４】
【特許文献１】特開２００３−２４４３１０号公報
【発明の概要】
【発明が解決しようとする課題】
【０００５】
しかし、従来の技術では、複数の動作モードにわたる複数の設定が１つの操作に登録されている場合、意図しない処理が実行されてしまうことがあった。例えば、ファックスモードにおける送信先へ画像の送信を行うことを意図してワンタッチキーに対する押下操作を実行したにも拘わらず、スキャンモードにおける送信先へ画像の送信が誤って行われてしまうことがあった。
【０００６】
また、従来の技術では、１つの操作に１つの設定が登録されている場合、当該設定を処理の内容に反映させるために、動作モードの切り替えという煩雑な操作を強いられることがあった。例えば、ワンタッチキーを押下してファックスモードにおける送信先へ画像の送信を行う場合、あらかじめファックスモードへの切り替えを行った後にワンタッチキーの押下を行う必要があった。
【０００７】
本発明は、これらの問題を解決するためになされたもので、意図しない処理が実行されることや煩雑な操作を強いられることを回避することができる、利便性の高い画像形成装置を提供することを目的とする。
【課題を解決するための手段】
【０００８】
上記課題を解決するため、発明の詳細な説明に記載された第１の発明は、切り替え可能な複数の動作モードを有する画像形成装置であって、操作の対象となる操作部材と、前記操作部材に対する操作に、前記画像形成装置が実行する処理の内容を規定する情報となる設定を対応づけて登録する登録手段と、実行された操作に登録されている設定を前記画像形成装置が実行する処理の内容に反映させる反映手段と、複数の動作モードにわたる複数の設定を１つの操作に登録することが許可される第１登録モードと、複数の動作モードにわたる複数の設定を１つの操作に登録することが禁止される第２登録モードとを切り替えるための切替手段とを備える。
【０００９】
発明の詳細な説明に記載された第２の発明は、発明の詳細な説明に記載された第１の発明の画像形成装置において、複数の動作モードにわたる複数の設定を１つの操作に登録している場合に、前記第１登録モードから前記第２登録モードへの切り替えを禁止する。
【００１０】
発明の詳細な説明に記載された第３の発明は、発明の詳細な説明に記載された第１又は第２の発明の画像形成装置において、複数の動作モードにわたる複数の設定を１つの操作に登録している場合に、前記第１登録モードから前記第２登録モードへの切り替え指示が前記切替手段により与えられると、複数の動作モードにわたる複数の設定を登録している操作を報知する。
【００１１】
請求項１の発明は、切り替え可能な複数の動作モードを有する画像形成装置であって、操作の対象となる操作部材と、前記操作部材に対する操作に、前記画像形成装置が実行する処理の内容を規定する情報となる設定を対応づけて登録する登録手段と、実行された操作に登録されている設定を前記画像形成装置が実行する処理の内容に反映させる反映手段と、切り替え可能な複数の動作モードのうちの２個以上の動作モードの各々に対する設定が実行された操作に登録されている場合に、前記反映手段による、処理の内容への設定の反映の要否を操作者に指示させる第１の指示手段とを備える。
【００１２】
請求項２の発明は、請求項１の画像形成装置において、現在の動作モードに関する設定が登録されていない操作が実行された場合に、実行された操作に設定が登録されている動作モードへの切り替え要否を操作者に指示させる第２の指示手段、をさらに備える。
【００１３】
請求項３の発明は、請求項２の画像形成装置において、動作モードを切り替える旨が前記第２の指示手段に指示された場合は、動作モードが切り替えられ、切り替え後の動作モードに関する設定が前記画像形成装置が実行する処理の内容に前記反映手段により反映され、動作モードを切り替える旨が前記第２の指示手段に指示されない場合は、動作モードが切り替えられない。
【００１４】
請求項４の発明は、請求項１ないし請求項３のいずれかの画像形成装置において、動作モードの切り替え先を操作者に指示させる第３の指示手段、をさらに備え、現在の動作モードに関する設定が登録されていない操作が実行され、動作モードの切り替え先が前記第３の指示手段に指示され、設定を反映させる旨が前記第１の指示手段に指示された場合は、前記第３の指示手段に指示された実行された動作モードであって操作に設定が登録されている動作モードへの切り替えが行われ、切り替え後の動作モードに関する設定が前記画像形成装置が実行する処理の内容に前記反映手段により反映され、現在の動作モードに関する設定が登録されていない操作が実行され、動作モードの切り替え先が前記第３の指示手段に指示され、設定を反映させる旨が前記第１の指示手段に指示されない場合は、動作モードが切り替えられない。
【発明の効果】
【００１５】
発明の詳細な説明に記載された第１ないし第３の発明によれば、第２登録モードへの切り替えにより、複数の動作モードにわたる複数の設定が１つの操作に登録されることがなくなるので、意図しない処理が実行されることを防止可能であり、画像形成装置の利便性が向上する。
【００１６】
発明の詳細な説明に記載された第２の発明によれば、複数の動作モードにわたる複数の設定を１つの操作に対応づけて登録した後に、第１登録モードから第２登録モードへの切り替えが行われ、設定が失われることを防止可能である。
【００１７】
発明の詳細な説明に記載された第３の発明によれば、複数の動作モードにわたる複数の設定を登録している操作を知ることができるので、操作者は、操作に登録している設定を第２登録モードに適したものへ編集することできる。
【００１８】
請求項１ないし請求項４の発明によれば、複数の動作モードにわたる複数の設定が登録されている操作を実行すると、処理の内容への設定の反映の要否を指示することができるので、意図しない処理が実行されることを防止可能であり、画像形成装置の利便性が向上する。
【００１９】
請求項２の発明によれば、現在の動作モードに関する設定が登録されていない操作を実行すると、実行された操作に対応づけて登録されている設定を内容に反映可能な処理を実行可能な動作モードへの切り替えの要否を指示することができるので、動作モードの切り替えの手間を削減でき、画像形成装置の利便性が向上する。
【図面の簡単な説明】
【００２０】
【図１】本発明の第１実施形態に係る画像形成装置１０及び第２実施形態に係る画像形成装置２０並びにこれらの周辺の構成を示すブロック図である。
【図２】複数登録許可モードにおける登録テーブル１０５ａを示す図である。
【図３】複数登録禁止モードにおける登録テーブル１０５ａを示す図である。
【図４】ワンタッチキー１１１ａに対する押下操作が実行された場合の画像形成装置１０の動作フローを説明するフローチャートである。
【図５】登録モード切替ボタン１１１ｄにより、複数登録許可モードから複数登録禁止モードへの切り替え指示が与えられた場合の画像形成装置１０の動作フローを説明するフローチャートである。
【図６】登録モード切替ボタン１１１ｄにより、複数登録許可モードから複数登録禁止モードへの切り替え指示が与えられた場合の画像形成装置２０の動作フローを説明するフローチャートである。
【発明を実施するための形態】
【００２１】
＜１  第１実施形態＞
＜１．１  構成＞
図１は、本発明の第１実施形態に係る画像形成装置１０及びその周辺の構成を示すブロック図である。画像形成装置１０は、ファックスモード、スキャナモード、コピーモード及びプリンタモードの４個の動作モードを有するデジタル複合機（ＭＦＰ；Multi Function Peripherals）である。
【００２２】
図１に示すように、画像形成装置１０は、ＭＰＵ（マイクロプロセッサ；MicroProcessor Unit）１０１、ＲＯＭ１０２及びＲＡＭ１０３を備える。ＭＰＵ１０１、ＲＯＭ１０２及びＲＡＭ１０３によって実現されるマイクロコンピュータ１２０は、ＲＯＭ１０２に格納されたプログラムを実行することにより、画像形成装置１０の各構成を統括制御し、画像形成装置１０の各種機能を実現している。
【００２３】
画像形成装置１０の画像メモリ１０４は、画像形成装置１０が処理対象とする画像を画像データとして記憶する。
【００２４】
また、画像形成装置１０は、画像読取部１０９及び画像記録部１１０を備える。画像読取部１０９は、ＣＣＤ（Charge Coupled Device）イメージセンサ等により原稿上の画像を読み取る。画像読取部１０９は、ＡＤＦ（Automatic Document Feeder）方式又はＦＢＳ（Flat Bed Scanner）方式により原稿上の画像を読み取ることができる。画像記録部１１０は、電子写真方式により、画像を記録媒体上に形成する。
【００２５】
画像形成装置１０には、ユーザインターフェースとして、操作部１１１及び表示部１１２が設けられる。操作部１１１は、操作の対象となるメカニカルスイッチ等の操作部材を含んで構成され、表示部１１２は、液晶ディスプレイ等の表示用の部材を含んで構成される。なお、表示部１１２を液晶タッチパネルディスプレイ等で構成して、表示部１１２が操作部１１１の一部又は全部の機能を兼ね備えるようにしてもよい。
【００２６】
操作部１１１には、操作部材として、ワンタッチキー１１１ａ、スタートボタン１１１ｂ、動作モード切替ボタン１１１ｃ及び登録モード切替ボタン１１１ｄが含まれる。ワンタッチキー１１１ａに対する押下操作には、ファックスモードにおける送信先、スキャナモードにおける送信先及びコピーモードにおけるコピー条件を対応づけて登録可能となっている。スタートボタン１１１ｂは、処理の開始指示を画像形成装置１０に与えるために用いられる。動作モード切替ボタン１１１ｃは、画像形成装置１０の動作モードをファックスモード、スキャナモード、コピーモード及びプリンタモードの間で切り替えるために用いられる。登録モード切替ボタン１１１ｄは、画像形成装置１０の登録モードを後述する複数登録許可モードと複数登録禁止モードとの間で切り替えるために用いられる。
【００２７】
この画像形成装置１０には、各種の情報を記憶する記憶部１０５が設けられている。記憶部１０５は、フラッシュメモリやハードディスクドライブ等の不揮発性の記憶装置により構成される。記憶部１０５には、スキャナモードにおいて画像読取部１０９が読み取った画像を記憶するための記憶領域として、少なくとも１つのボックス１０５ｂが設定されている。また、記憶部１０５には、ファックスモードにおける送信先、スキャナモードにおける送信先及びコピーモードにおけるコピー条件をワンタッチキー１１１ａに対する押下操作に対応づけて登録した登録テーブル１０５ａが記憶されている。
【００２８】
ネットワークインターフェース１０６は、例えば、イーサネット（登録商標）により、画像形成装置１０をネットワーク３０に接続する。ネットワーク３０は、ルータＲＴ等のネットワーク機器を介してインターネット５０に接続される。これにより、画像形成装置１０は、ネットワーク３０に接続されたパーソナルコンピュータＰＣやインターネット５０に接続されたインターネットファックス装置ＩＦＡＸと通信可能になっている。
【００２９】
ＮＣＵ（網制御装置；Network Control Unit）１０７及びＭＯＤＥＭ（モデム；MOdulator DEModulator）１０８は、一般公衆電話網４０を経由した画像データの送受信に用いられる。ＮＣＵ１０７は、一般公衆電話網４０への接続を制御する。ＮＣＵ１０７は、通信先の電話番号に対応したダイヤル信号を送出する機能及び着信を検出する機能を備える。ＭＯＤＥＭ１０８は、ＩＴＵ（国際電気通信連合）−Ｔ勧告Ｔ.３０にしたがったファックス伝送制御手順に基づいて、Ｖ．１７，Ｖ．２７ｔｅｒ，Ｖ．２９等にしたがった送信データの変調及び受信データの復調を行う。又は、ＭＯＤＥＭ１０８は、これらに加えて、Ｖ．３４にしたがった送信データの変調及び受信データの復調を行う。
【００３０】
ファックスモードでは、画像形成装置１０は、画像読取部１０９が読み取った画像を、一般公衆電話網４０を経由してファックス装置ＦＡＸへＧ３方式やスーパーＧ３方式により送信することができるとともに、一般公衆電話網４０を経由してファックス装置装置ＦＡＸから送信されてきた画像を受信して画像記録部１１０に与えることにより、当該画像を記録媒体に印刷することができる。加えて、画像形成装置１０は、画像読取部１０９が読み取った画像を、ネットワーク３０及びインターネット５０を経由してインターネットファックス装置ＩＦＡＸへ送信することができる。ファックスモードにおけるインターネットファックス装置ＩＦＡＸへの画像の送信は、画像を電子メールに添付してインターネットファックス装置ＩＦＡＸの電子メールアドレスへ送信することにより行われる。したがって、ファックスモードにおいては、画像の送信先として、ファックス装置ＦＡＸの電話番号又はインターネットファックス装置ＩＦＡＸの電子メールアドレスを設定することができる。
【００３１】
スキャナモードでは、画像形成装置１０は、画像読取部１０９が読み取った画像を、画像形成装置１０の記憶部１０５に設定されたボックス１０５ｂに記憶させることができる。加えて、画像形成装置１０は、画像読取部１０９が読み取った画像を、ネットワーク３０を経由してパーソナルコンピュータＰＣへ送信することができる。スキャナモードにおけるパーソナルコンピュータＰＣへの画像の送信は、画像を電子メールに添付してパーソナルコンピュータＰＣの電子メールアドレスへ送信することにより、又は、画像形成装置１０との接続を確立したパーソナルコンピュータＰＣへ画像を直接送信することにより行われる。したがって、スキャンモードにおいては、画像の送信先として、画像形成装置１０のボックス１０５ｂ又はパーソナルコンピュータＰＣの電子メールアドレス若しくはパスを設定することができる。
【００３２】
コピーモードでは、画像形成装置１０は、画像読取部１０９が読み取った画像を画像記録部１１０に与えることにより、当該画像を記録媒体に印刷することができる。コピーモードでは、コピー条件として、画質、用紙種類、用紙サイズ及び変倍率等を設定することができる。
【００３３】
プリンタモードでは、画像形成装置１０は、ネットワーク３０を経由してパーソナルコンピュータＰＣから送信されてきた印刷ジョブに関する画像を受信して画像記録部１１０に与えることにより、当該画像を記録媒体に印刷することができる。
【００３４】
＜１．２  登録テーブル＞
登録テーブル１０５ａは、ワンタッチキー１１１ａに対する押下操作に、画像形成装置１０が実行する処理の内容を規定する情報となる設定として、ファックスモードにおける送信先、スキャナモードにおける送信先及びコピーモードにおけるコピー条件を対応づけて登録したものである。より具体的には、登録テーブル１０５ａは、図２及び図３に示すように、「ワンタッチキーＮＯ．」の欄に記載された番号が付与されたワンタッチキー１１１ａに対する押下操作に、「機能（モード）」の欄に記載された動作モードにおける「設定」の欄に記載された設定を登録したことを示す情報となっている。なお、図２及び図３の「設定」の欄に記載された「未登録」は、設定が登録されていないことを意味している。この登録テーブル１０５ａの具体的内容は、操作部１１１を用いた所定の操作により編集可能となっている。
【００３５】
画像形成装置１０は、登録テーブル１０５ａにおける、押下操作への設定の登録の許可態様が異なる複数登録許可モードと複数登録禁止モードとを有している。
【００３６】
複数登録許可モードは、図２に示すように、複数の動作モードにわたる複数の設定を１つのワンタッチキー１１１ａに対する押下操作に登録することが許可される登録モードである。「複数の動作モードにわたる複数の設定」とは、切り替え可能な複数の動作モードのうちの２個以上の動作モードの各々に対する設定を意味する。
【００３７】
一方、複数登録禁止モードは、図３に示すように、複数の動作モードにわたる複数の設定を１つのワンタッチキー１１１ａに対する押下操作に登録することが禁止される登録モードである。この複数登録禁止モードでは、１つのワンタッチキー１１１ａに対する押下操作には、ファックスモード、スキャナモード及びコピーモードから選択された１つの動作モードにおける設定のみを登録することが許される。
【００３８】
＜１．３  動作＞
＜１．３．１  ワンタッチキーに対する押下操作＞
図４は、ワンタッチキー１１１ａに対する押下操作が実行された場合の画像形成装置１０の動作フローを説明するフローチャートである。
【００３９】
図４を参照して説明すると、ワンタッチキー１１１ａに対する押下操作が実行されると、画像形成装置１０のマイクロコンピュータ１２０は、登録テーブル１０５ａを参照して、実行された押下操作に複数の動作モードにわたる複数の設定が登録されているか否かを確認する（ステップＳ１０１）。
【００４０】
そして、複数の設定が登録されている場合、現在の動作モードにおける設定が、実行された押下操作に登録されているかか否かが確認され（ステップＳ１０７）、含まれている場合はステップＳ１０２へ移行し、含まれていない場合はステップＳ１０８へ移行する。
【００４１】
ステップＳ１０２では、操作者が意図しない処理を実行してしまうことを防止するため、画像形成装置１０は、当該複数の設定のうち現在の動作モードに関する設定を、画像形成装置１０が実行する処理の内容に反映させるか否かの指示を操作者に要求する。このステップＳ１０２は、具体例をあげて言えば、ファックスモードにおける送信先とスキャンモードにおける送信先とが登録されているワンタッチキー１１１ａの押下操作がファックスモードにおいて実行された場合、操作者がスキャンモードにおける送信先への画像の送信を意図してワンタッチキー１１１ａを押下したのではないことを確かめるために設けられている。この指示の要求は、例えば、マイクロコンピュータ１２０が表示部１１２を制御して表示部１２０に所定のメッセージを表示することにより実現してもよいし、所定のメッセージを音声で操作者に伝えることにより実現してもよい。
【００４２】
ステップＳ１０２において設定を反映させる旨の指示が与えられた場合、マイクロコンピュータ１２０は、現在の動作モードに関する設定を画像形成装置１０が実行する処理の内容に実際に反映させる（ステップＳ１０３）。これにより、画像形成装置１０は、スタートボタン１１１ｂの押下に応答して、当該設定を反映させた処理を実行することができるようになる。しかし、ステップＳ１０２において設定を反映させる旨の指示が与えられなかった場合、そのまま動作フローが終了する。
【００４３】
また、ステップＳ１０８では、動作モードの切り替え先の指示を操作者に要求し（ステップＳ１０８）、指示された動作モードに関する設定を画像形成装置１０が実行する処理の内容に反映させるか否かの指示を操作者に要求する（ステップＳ１０９）。ステップＳ１０９において設定を反映させる旨の指示が与えられた場合、画像形成装置１０の動作モードがステップＳ１０８で指示された動作モードに切り替えられ、ステップＳ１０８で指示された動作モードにおける設定を画像形成装置１０が実行する処理の内容に実際に反映させる（ステップＳ１１０）。しかし、ステップＳ１０９において設定を反映させる旨の指示が与えられなかった場合、そのまま動作フローが終了する。なお、ステップＳ１０８においては、切り替え先となる動作モード、すなわち実行された押下操作に設定が登録されている動作モードを操作者に提示することが望ましい。
【００４４】
一方、実行された押下操作に複数の設定が登録されていない場合、実行された押下操作に設定が登録されている動作モードと現在の動作モードとが一致しているか否かがマイクロコンピュータ１２０によって調べられる（ステップＳ１０４）。このようなステップＳ１０４は、実行された押下操作に設定が登録されていても、任意の動作モードにおいて当該設定を処理の内容に反映させることができるわけではないことにより必要となっている。例えば、実行された押下操作にコピー条件だけが登録されている場合、当該コピー条件を適用可能であるのはコピーモードにおけるコピーだけに制限され、ファックスモードにおける画像の送信には適用不可能である。
【００４５】
ステップＳ１０４において動作モードが一致している場合は、ステップＳ１０３へ移行して現在の動作モードに関する設定を画像形成装置１０が実行する処理の内容に実際に反映させる。しかし、ステップＳ１０４において動作モードが一致していない場合、すなわち、現在の動作モードに関する設定が登録されていない押下操作が実行された場合、画像形成装置１０は、さらに、実行された押下操作に設定が登録されている動作モードへ切り替えるか否かの指示を操作者に要求する（ステップＳ１０５）。具体的な例をあげて説明すると、ファックスモードにおける送信先のみが登録されているワンタッチキー１１１ａに対する押下操作がスキャナモードにおいて実行された場合、画像形成装置１０は、スキャナモードへ切り替えるか否かの指示を操作者に要求することになる。この指示の要求も、ステップＳ１０２と同様に、マイクロコンピュータ１２０が表示部１１２を制御して表示部１２０に所定のメッセージを表示することにより実現してもよいし、所定のメッセージを音声で操作者に伝えることにより実現してもよい。このように、ステップＳ１０５においては、切り替え先となり得る動作モード、すなわち実行された押下操作に設定が登録されている動作モードを操作者に提示することが好ましい。切り替え先となり得る動作モードが複数ある場合には、その複数の動作モードを操作者に提示し、操作者は、提示された複数の動作モードの中から切り替え先とする動作モードを選択することができる。
【００４６】
ステップＳ１０５において、動作モードを切り替える旨の指示が与えられた場合、動作モードの切り替えが実際に実行され（ステップＳ１０６）、しかる後にステップＳ１０３へ移行して、現在の（変更後の）動作モードに関する設定を画像形成装置１０が実行する処理の内容に実際に反映させるが、動作モードを切り替える旨の指示が与えられなかった場合、そのまま動作フローが終了する。
【００４７】
ステップＳ１０４〜Ｓ１０６は、現在の動作モードに関する設定が登録されていないワンタッチキー１１１ａの押下操作が実行された場合に、登録されている設定を適用可能な動作モードへ切り替えるのを補助することにより、動作モードの切り替えの手間を削減するために設けられている。
【００４８】
＜１．３．２  登録モードの切り替え＞
図５は、登録モード切替ボタン１１１ｄにより複数登録許可モードから複数登録禁止モードへの切り替え指示が与えられた場合の画像形成装置１０の動作フローを説明するフローチャートである。
【００４９】
図５を参照して説明すると、複数登録許可モードから複数登録禁止モードへの切り替え指示が与えられると、画像形成装置１０のマイクロコンピュータ１２０は、登録テーブル１０５ａを参照して、押下操作に複数の動作モードにわたる複数の設定が登録されているか否かを確認する（ステップＳ２０１）。
【００５０】
そして、複数の設定が登録されている場合は、複数登録許可モードから複数登録禁止モードへ登録モードを切り替えることを拒否する旨を警報音等により報知するとともに（ステップＳ２０２）、登録モードの切り替えの拒否理由すなわち複数の動作モードにわたる複数の設定が登録されている操作が存在するために拒否する旨を表示部１１２へのメッセージの表示等により報知する（ステップＳ２０４）。ステップＳ２０４により、操作者は、登録モードの切り替えが拒否された理由を知ることができる。
【００５１】
なお、ステップＳ２０４の終了後は、複数登録許可モードから複数登録禁止モードへの切り替えは実際に行われることなく動作フローが終了する。すなわち、画像形成装置１０では、押下操作に複数の動作モードにわたる複数の設定が登録されている場合には、複数登録許可モードから複数登録禁止モードへの切り替えが禁止され、登録モードの変更により設定が失われてしまうことを防止している。
【００５２】
一方、複数の設定が登録されていない場合は、そのまま複数登録禁止モードへの切り替えが行われ（ステップＳ２０３）、しかる後に、動作フローが終了する。
【００５３】
以上の構成及び動作により、画像形成装置１０は、誤送信等の意図しない処理が実行されることや煩雑な操作を強いられることを回避することができる、利便性の高いものとなっている。
【００５４】
＜２  第２実施形態＞
本発明の第２実施形態に係る画像形成装置２０は、第１実施形態に係る画像形成装置１０と類似の構成を有しており、第１実施形態における図１〜図３についての説明は、第２実施形態にも当てはまる。しかし、画像形成装置２０は、登録モード切り替えボタン１１１ｄにより複数登録許可モードから複数登録禁止モードへの切り替え指示が与えられた場合の動作が画像形成装置１０とは異なっている。以下では、この相違点について、図６のフローチャートを参照しながら説明する。
【００５５】
図６に示すように、複数登録許可モードから複数登録禁止モードへの切り替え指示が与えられると、画像形成装置２０のマイクロコンピュータ１２０は、登録テーブル１０５ａを参照して、押下操作に複数の動作モードにわたる複数の設定が登録されているか否かを確認する（ステップＳ３０１）。
【００５６】
そして、複数の設定が登録されている場合は、複数の設定が登録されている押下操作を、当該押下操作の対象となるワンタッチキー１１１ａの番号等により報知する（ステップＳ３０２）。この報知により、操作者は、複数の設定が登録されている押下操作すなわち登録されている設定を複数登録禁止モードに適したものとなるように編集する必要がある押下操作を知ることができる。この報知は、複数の設定が登録されている押下操作の対象となるワンタッチキー１１１ａの番号と、当該ワンタッチキー１１１ａに登録されている設定とを表示部１１２ａに一覧表示することにより実現される。
【００５７】
複数の設定が登録されている押下操作をワンタッチキー１１１ａの番号等により報知した後は、編集が必要な理由すなわち複数の動作モードにわたる複数の設定が登録されている押下操作が存在するため、登録禁止モードに適した設定となるように編集が必要である旨を表示部１１２へのメッセージの表示等により報知する（ステップＳ３０３）。ステップＳ３０３により、操作者は、設定の編集が必要である理由を知ることができる。
【００５８】
しかる後に、画像形成装置２０は、登録テーブル１０５ａの編集を行うことができる編集モードへ移行する（ステップＳ３０４）。編集モードでは、表示部１１２に一覧表示されている、複数の設定が登録されている押下操作の対象となるワンタッチキー１１１ａの番号と、当該ワンタッチキー１１１ａに登録されている設定とが編集可能な状態となる。なお、編集モードにおいて実行可能な編集には、複数モードにわたる複数の設定のうち、不要な設定を削除することにより、１つの操作に１つの動作モードにおける設定のみが登録されている状態とすることが含まれる。
【００５９】
編集モードの終了後、複数登録禁止モードへの切り替えが行われ（ステップＳ３０５）、しかる後に動作フローが終了する。ここで、編集モードの終了後に自動的に（操作者に確認することなく）複数登録禁止モードへの切り替えを行うのに代えて、一度操作者に確認してから（操作者に指示を要求し、操作者の指示が与えられてから）複数登録禁止モードへの切り替えを行うようにしてもよい。
【００６０】
一方、複数の設定が登録されていない場合は、そのまま、複数登録禁止モードへの切り替えが行われ（ステップＳ３０５）、しかるのちに、動作フローが終了する。
【００６１】
＜３  変形例＞
上述の第１実施形態及び第２実施形態では、ワンタッチキー１１１ａという１個の操作部材に対する押下操作に設定が対応づけて登録される例を用いて説明を行ったが、短縮ダイヤルと称される２個以上の操作部材に対する順次の押下操作に処理情報が対応づけて登録される場合にも本発明は適用可能である。
【符号の説明】
【００６２】
１０  画像形成装置
１０５ａ  登録テーブル
１１１  操作部
１１１ａ  ワンタッチキー
１１１ｂ  スタートボタン
１１１ｃ  動作モード切替ボタン
１１１ｄ  登録モード切替ボタン
１２０  マイクロコンピュータ
【図１】
2010268517.tif 000003
【図２】
2010268517.tif 000004
【図３】
2010268517.tif 000005
【図４】
2010268517.tif 000006
【図５】
2010268517.tif 000007
【図６】
2010268517.tif 000008